(57)【要約】【課題】凸部付きの係合片と係合穴によるロック構造のみによってコネクタ構成部材間の前後、左右、上下各方向の相対移動を抑制する。【解決手段】雌側コネクタを構成する雌端子１３に係合穴１５、この雌端子１３が結合される雌側ハウジング１１に弾性を備えた係合片１７をそれぞれ設けるとともに、係合片１７の先端部に、周面が係合穴１５に向かって先すぼまりのテーパ面となった角錐台状の凸部１６を設け、この凸部１６を係合穴１７に互いの周面が接触する状態で係合させるように構成した。【選択図】　　　　図１
2004055236.tif 000002
【特許請求の範囲】
【請求項１】
コネクタを構成するコネクタ構成部材同士を結合する手段として、結合される一方のコネクタ構成部材に係合穴、他方のコネクタ構成部材に弾力を備えた係合片がそれぞれ設けられ、上記係合片の先端部に設けられた凸部が上記係合穴に弾性的に係合することによって両コネクタ構成部材が相互に抜け止めされるように構成されたコネクタにおいて、上記係合片の凸部の周面が、上記係合穴に向かって先すぼまりのテーパ面に形成され、上記係合状態でこのテーパ面が上記係合片の係合穴の周面に対して係合片の弾力の方向と直交する二方向に接触するように構成されたことを特徴とするコネクタ。
【請求項２】
コネクタ構成部材として、キャビティを有するハウジングと、上記キャビティ内に収容される端子とを備え、これらの一方に係合穴、他方に係合片が設けられたことを特徴とする請求項１記載のコネクタ。
【請求項３】
コネクタ構成部材として雄側及び雌側両ハウジングを備え、これらの一方に係合穴、他方に係合片がそれぞれ設けられたことを特徴とする請求項１または２記載のコネクタ。
【請求項４】
係合穴が多角形に、係合片の凸部がこの係合穴に対応する多角形の角錐台状にそれぞれ形成されたことを特徴とする請求項１乃至３のいずれかに記載のコネクタ。
【発明の詳細な説明】
【０００１】
【発明の属する技術分野】
本発明はハウジングと端子、もしくは雄・雌両ハウジング同士、または端子同士の結合部分の振動によるがたつきを抑制する耐振動型のコネクタに関するものである。
【０００２】
【従来の技術】
自動車配線等において電線同士、または電線と電装品を接続するコネクタは、雄側・雌側双方とも、図１０〜図１２に示すように、複数のキャビティ（端子収容室。ここでは一つのみを示す）１を備えたハウジング２と、電線３の端末に装着される端子４とから成り、この端子４がキャビティ１内に挿入・収容されて構成される。
【０００３】
なお、図では、雌側コネクタを例にとっているが、雄側コネクタの場合もこの雄側コネクタと基本的に同じ構成となっている。
【０００４】
この場合、挿入した端子４がキャビティ１内から抜けないようにロックする手段として、端子４の底壁に係合穴５、ハウジング２における各キャビティ１の底壁に上下方向の弾力を備えた係合片６をそれぞれ設け、図１１，１２に示すように端子４をキャビティ１内に挿入した状態で、係合片５の先端部に設けた逆止突起状の凸部７を係合穴５に弾性的に係合させて抜け止め作用を発揮させる構造が採用されている（たとえば特開平７−２２１１２号、特開平６−８２５２２号両公報参照）。
【０００５】
図中、８は端子４の接触片で、図示しない雄側コネクタにおける雄端子のピン状接触子９がこの接触片８に弾性的に接触して電気的に接続される。
【０００６】
【発明が解決しようとする課題】
ところが、この公知のロック構造においては、係合片６の凸部７が係合穴５に係合した状態で、両者間にクリアランスがあるため、このクリアランスの範囲でハウジング２と端子４が前後、左右に相対移動し得る状態となるが、この移動を止める手段は一切講じられていない。
【０００７】
すなわち、従来のコネクタにおけるロック構造は、ハウジング２と端子４の抜け止め作用と上下方向の動き止め作用のみを行うものであった。
【０００８】
このため、とくに自動車に使用されるコネクタの場合、車体の振動によって端子４がハウジング２に対して細かく相対移動（微摺動）し、この微摺動が原因となって接触片８と接触子９の電気的な接触状態が悪化するおそれがあった。この問題は、最近のコネクタの小形化による低接触荷重化、及びエンジン性能の向上による高振動化に伴って深刻となっていた。
【０００９】
なお、係合片６の凸部７と係合穴５の間のクリアランスを最小限に小さくすることは可能であるが、おのずと限界があるため根本的な解決策とならない。しかも、クリアランスが小さくなることで両者がうまく係合しなくなるおそれが生じる。
【００１０】
また、特開２０００−２７７２０９号後方等に示されているように、上記ロック構造に加えて、相結合される部材間にバネを介在させ、このバネ力によって二部材間の前後または左右方向のがたつきを抑える技術が提案されているが、このような別の振動抑制手段を付加する構成によると部品点数、組立工数の増加、コスト増となる等、弊害が多いため得策でない。
【００１１】
一方、雄・雌両ハウジング同士の抜け止め策として、上記ハウジング／端子のロック手段と基本的に同じロック構造（一方に設けられた凸部が他方の穴に弾性係合する構造）が用いられており、この部分でも同様の問題があった。
【００１２】
そこで本発明は、凸部付きの係合片と係合穴によるロック構造のみによってコネクタ構成部材間の前後、左右、上下各方向の相対移動を抑制でき、しかも両者を確実に係合させることができるコネクタを提供するものである。
【００１３】
【課題を解決するための手段】
請求項１の発明は、コネクタを構成するコネクタ構成部材同士を結合する手段として、結合される一方のコネクタ構成部材に係合穴、他方のコネクタ構成部材に弾力を備えた係合片がそれぞれ設けられ、上記係合片の先端部に設けられた凸部が上記係合穴に弾性的に係合することによって両コネクタ構成部材が相互に抜け止めされるように構成されたコネクタにおいて、上記係合片の凸部の周面が、上記係合穴に向かって先すぼまりのテーパ面に形成され、上記係合状態でこのテーパ面が上記係合片の係合穴の周面に対して係合片の弾力の方向と直交する二方向に接触するように構成されたものである。
【００１４】
請求項２の発明は、請求項１の構成において、コネクタ構成部材として、キャビティを有するハウジングと、上記キャビティ内に収容される端子とを備え、これらの一方に係合穴、他方に係合片が設けられたものである。
【００１５】
請求項３の発明は、請求項１または２の構成において、コネクタ構成部材として雄側及び雌側両ハウジングを備え、これらの一方に係合穴、他方に係合片がそれぞれ設けられたものである。
【００１６】
請求項４の発明は、請求項１乃至３のいずれかの構成において、係合穴が多角形に、係合片の凸部がこの係合穴に対応する多角形の角錐台状にそれぞれ形成されたものである。
【００１７】
上記構成によると、係合片の凸部の周面が係合穴に向かって先すぼまりのテーパ面に形成され、凸部が係合穴に係合した状態で、凸部周面が係合穴の周面に対して係合片の弾力の方向と直交する二方向に接触するため、この接触部分によって両者の相対移動（係合片の弾力の方向を上下方向とすると前後及び左右方向の動き）を阻止することができる。
【００１８】
これにより、係合片の弾力による移動抑制作用と合わせて、両コネクタ構成部材（請求項２ではハウジングと端子、請求項３では雄側・雌側両ハウジング）間の全方向のがたつきを確実に抑制することができる。
【００１９】
しかも、この全方向の動き止め作用を係合片と係合穴によるロック構造のみによって行うことができるため、相結合されるコネクタ構成部材間にバネを介在させる等、ロック構造以外の振動抑制手段を付加する必要がなく、部品点数、組立工数、コストの点で有利となる。
【００２０】
また、係合片の凸部の先端部は係合穴よりも充分小さくできるため、両者を確実に係合させることができる。
【００２１】
この場合、凸部と係合穴の形状の組み合わせは、係合状態で凸部のテーパ面が係合穴の周面に対して係合片の弾力の方向と直交する二方向に接触する、という条件を満足するものであればよい。
【００２２】
従って、平面形状でいうと、請求項４のように多角形と多角形をはじめ、円形と円形、円形と多角形、楕円形と楕円形、楕円形と多角形等、種々のうちから選択することができる。
【００２３】
また、凸部は、角錐台状、円錐台状、楕円錐台状に限らず、角錐状、円錐状、楕円錐状としてもよい。
【００２４】
【発明の実施の形態】
本発明の実施形態を図１〜図９によって説明する。
【００２５】
第１実施形態（図１〜図５参照）
第１実施形態では、雌側コネクタを適用対象として例にとっている。
【００２６】
１１はキャビティ１２を有する雌側ハウジング、１３は電線１４の端末に装着された雌端子で、この雌端子１３の底壁ほぼ中央部に四角形の係合穴１５が設けられている。
【００２７】
一方、雌側ハウジング１１の底壁には、先端部に上向きの凸部１６を備えた係合片１７が係合穴１５（上方）に向かう弾力を付与された状態で設けられ、図２，３，５に示すように雌端子１３を雌側ハウジング１１のキャビティ１２内に挿入した状態で、係合片１７の凸部１６が係合穴１５に弾性的に係合することにより、雌側ハウジング１１と雌端子１３が抜け止めされるように構成されている。
【００２８】
ここで、係合片１７の凸部１６は、平面から見て係合穴１５に対応する四角形（たとえば係合穴１５が正方形であれば正方形）で、その四周面が係合穴１５に向かって先すぼまりのテーパ面となった四角錐台状に形成されている。
【００２９】
また、この凸部１６の先端部の寸法は係合穴１５よりも充分小さく、根元部分の寸法は係合穴１５よりも大きく設定されている。
【００３０】
こうすれば、凸部１６は、先端部が係合穴１５に充分なクリアランスをもって確実に嵌まり込み、中間部の全周面（係合片１７の弾力の方向と直交する前後及び左右方向の各面）が係合穴１５の全周面に接触（線接触）する状態で係合する。
【００３１】
従って、この係合状態で、図５に示すように凸部１６がＸ（前後）、Ｙ（左右）両方向の動きを阻止され、Ｚ（上下）方向の動きは係合片１７のバネ力によって抑えられるため、自動車のようにＸ、Ｙ、Ｚ各方向の振動が激しい環境下でも、雌側ハウジング１１と雌端子１３の相対移動（微摺動）を効果的に抑制することができる。
【００３２】
このため、微摺動によって雌端子１３の接触片１８と雄端子の接触子１９（図２参照）の電気的な接触状態が悪化するおそれがなくなる。
【００３３】
他の実施形態
（１）係合片１７の凸部１６と係合穴１５の形状の組み合わせは、両者が前後及び左右方向に移動不能に係合し得るものであればよく、上記実施形態以外に、図６に示す円錐台状凸部１６と円形係合穴１５の組み合わせ（第２実施形態）、または図７に示す楕円錐台状の凸部１６と楕円形係合穴１５の組み合わせを（第３実施形態）採用することができる。
【００３４】
また、凸部１６と係合穴１５は必ずしも全面接触させる必要はなく、係合片１７の弾力の方向と直交する二方向に接触するという条件を満足すれば、点接触する形状の組み合わせであってもよい。
【００３５】
従って、他に、平面形状でいうと円形または楕円形と多角形の組み合わせでもよいし、円形と楕円形の組み合わせでもよい。
【００３６】
なお、平面から見て円形同士、または円形と多角形の組み合わせを採用すると、凸部１６と係合穴１５の周方向の位置関係にずれが生じても両者を確実に係合させることができる。
【００３７】
（２）上記実施形態では、雌側コネクタのハウジング１１と端子１３とを結合する場合を例にとったが、本発明は、図８，９に示すように雄側・雌側両コネクタのハウジング同士を結合する場合にも上記同様に適用することができる。
【００３８】
図８，９の例では、雌側ハウジング１１の上壁に弾力を備えた係合片１８を設け、この係合片１８の先端部に設けた四角錐台状の凸部１９を、雄側ハウジング２０の上壁に設けた係合穴２１に係合させるようにしている。なお、ここでは両コネクタにおける端子の図示を省略している。
【００３９】
また、本発明は、雄側ハウジング２１と雄端子（図示しない）の結合部分にも適用できるし、場合によっては雄・雌両端子同士の結合部分に適用してもよい。さらに、これら各結合部分のすべて、またはそのうちの複数の結合部分に同時に適用してもよい。
【００４０】
【発明の効果】
上記のように本発明によると、結合される両コネクタ構成部材の一方に設けた係合片の凸部を、他方に設けた係合穴に弾性的に係合させて抜け止めするロック構造を備えたコネクタにおいて、係合片の凸部の周面を係合穴に向かって先すぼまりのテーパ面に形成し、凸部が係合穴に係合した状態で、凸部周面が係合穴の周面に対して係合片の弾力の方向と直交する二方向に接触する構成としたから、この接触部分によって両者間の二方向の相対移動を阻止することができる。
【００４１】
これにより、係合片と係合穴の弾性係合による移動抑制作用と合わせて、両コネクタ構成部材の前後、左右、上下の全方向のがたつきを確実に抑制することができる。
【００４２】
このため、自動車のように振動の激しい環境で使用されるコネクタにおいても、コネクタ構成部材間の相対移動（微摺動）による端子接触状態の悪化を防止することができる。
【００４３】
しかも、係合片凸部の先端側は係合穴よりも充分小さくできるため、両者を確実に係合させることができる。
【００４４】
また、上記全方向の相対移動抑制作用を係合片と係合穴によるロック構造のみによって行うことができるため、コネクタ構成部材間にバネを介在させる等、ロック構造以外の振動抑制手段を付加する必要がなく、部品点数、組立工数、コストの点で有利となる。
【図面の簡単な説明】
【図１】本発明の第１実施形態にかかる雌側ハウジングと雌端子の分解斜視図である。
【図２】同雌側ハウジングと雌端子の結合状態の断面図である。
【図３】図２の一部拡大図である。
【図４】同一部の拡大分解斜視図である。
【図５】同結合状態の図４相当図である。
【図６】本発明の第２実施形態を示す図４相当図である。
【図７】本発明の第３実施形態を示す図４相当図である。
【図８】本発明の第４実施形態にかかる雄側・雌側両ハウジングの結合前の断面図である。
【図９】同結合状態の断面図である。
【図１０】従来技術による雌側ハウジングと雌端子の結合前の断面図である。
【図１１】同結合状態の断面図である。
【図１２】図１１の一部拡大図である。
【符号の説明】
１１　雌側コネクタのハウジング
１２　キャビティ
１３　雌端子
１４　電線
１５　係合穴
１６　凸部
１７　係合片
１８　係合片
１９　凸部
２０　雄側ハウジング
２１　係合穴
【図１】
2004055236.tif 000003
【図２】
2004055236.tif 000004
【図３】
2004055236.tif 000005
【図４】
2004055236.tif 000006
【図５】
2004055236.tif 000007
【図６】
2004055236.tif 000008
【図７】
2004055236.tif 000009
【図８】
2004055236.tif 000010
【図９】
2004055236.tif 000011
【図１０】
2004055236.tif 000012
【図１１】
2004055236.tif 000013
【図１２】
2004055236.tif 000014